【手続補正書】
【提出日】平成17年5月10日(2005.5.10)
【手続補正１】
【補正対象書類名】明細書
【補正対象項目名】発明の名称
【補正方法】変更
【補正の内容】
【発明の名称】電子回路、電気光学装置、及び電子機器
【手続補正２】
【補正対象書類名】明細書
【補正対象項目名】特許請求の範囲
【補正方法】変更
【補正の内容】
【特許請求の範囲】
【請求項１】
電子素子を駆動するための電子回路であって、
第１の端子と第２の端子と第１の制御用端子とを備えた駆動トランジスタと、
第１のスイッチング用トランジスタと、
一端が所定電位に接続された第２のスイッチング用トランジスタと、
第１の電極と第２の電極とを備えた容量素子と、を含み、
前記第１の制御用端子は前記第１の電極に接続され、
前記第２の電極は、前記第１のスイッチング用トランジスタに接続され、
前記第２のスイッチング用トランジスタがオン状態となる第１の期間の終了後、前記第１のスイッチング用トランジスタがオン状態となる第２の期間が設けられていること、
を特徴とする電子回路。
【請求項２】
請求項１に記載の電子回路において、
前記容量素子は、前記第１のスイッチング用トランジスタと前記第２のスイッチング用トランジスタとの間に配置されていること、
を特徴とする電子回路。
【請求項３】
請求項１又は２に記載の電子回路において、
前記第２のスイッチング用トランジスタは、前記所定電位と前記第１の制御用端子との間に配置されていること、
を特徴とする電子回路。
【請求項４】
請求項１乃至３のいずれかに記載の電子回路において、
前記第１の期間において、前記第１の制御用端子の電位は第１の電位に設定され、
前記第２の期間において、前記第１の制御用端子の電位は第２の電位に設定されること、
を特徴とする電子回路。
【請求項５】
請求項４に記載の電子回路において、
前記第２の電位に応じて前記駆動トランジスタの導通状態が設定され、
前記導通状態に応じた駆動電流が前記電子素子に供給されること、
を特徴とする電子回路。
【請求項６】
請求項１乃至５のいずれかに記載の電子回路において、
前記第１の電位は、前記駆動トランジスタの閾値電圧の応じて設定されること、
を特徴とする電子回路。
【請求項７】
複数の走査線と、
複数のデータ線と、
複数の画素回路と、を含み、
前記複数の画素回路の各々は、
電気光学素子と、
駆動トランジスタと、
容量素子と、
一端が前記複数のデータ線のうち１つのデータ線に接続された第１のスイッチング用トランジスタと、
一端が所定電位に接続された第２のスイッチング用トランジスタと、を含み、
前記第１のスイッチング用トランジスタと前記駆動トランジスタの第１の制御用端子との間に前記容量素子が配置され、
前記第２のスイッチング用トランジスタがオン状態となる第１の期間の終了後、前記第１のスイッチング用トランジスタがオン状態となる第２の期間が設けられていること、
を特徴とする電気光学装置。
【請求項８】
複数の走査線と、
複数のデータ線と、
複数の画素回路と、を含み、
前記複数の画素回路の各々は、
電気光学素子と、
駆動トランジスタと、
第１の電極と第２の電極とを備えた容量素子と、
一端が前記複数のデータ線のうち１つのデータ線に接続された第１のスイッチング用トランジスタと、
一端が所定電位に接続された第２のスイッチング用トランジスタと、を含み、
前記第１の電極は前記駆動トランジスタの第１の制御用端子に接続され、
前記第１のスイッチング用トランジスタは前記第２の電極に接続され、
前記第２のスイッチング用トランジスタがオン状態となる第１の期間の終了後、前記第１のスイッチング用トランジスタがオン状態となる第２の期間が設けられていること、
を特徴とする電気光学装置。
【請求項９】
請求項７又は８に記載の電気光学装置において、
前記第１の期間において、前記第１の制御用端子の電位は、前記所定電位と前記第２のスイッチング用トランジスタを介して電気的に接続されることにより、第１の電位に設定され、
前記第２の期間において、前記第１の制御用端子の電位は、前記所定電位と前記容量素子に介した容量カップリングにより第２の電位に設定されること、
を特徴とする電気光学装置。
【請求項１０】
請求項７乃至９のいずれかに記載の電気光学装置において、
前記第２の電位に応じた駆動電流が前記電気光学素子に供給されること、
を特徴とする電気光学装置。
【請求項１１】
請求項７乃至１０のいずれかに記載の電気光学装置において、
前記第１の電位は、前記駆動トランジスタの閾値電圧に応じて設定されること、
を特徴とする電気光学装置。
【請求項１２】
請求項７乃至１１のいずれかに記載の電気光学装置において、
前記第２のスイッチング用トランジスタは前記第１の制御用端子と前記所定電位との間に配置されていること、
を特徴とする電気光学装置。
【請求項１３】
請求項７乃至１２のいずれかに記載の電気光学装置において、
前記複数の画素回路の各々は、さらに調整用トランジスタを含み、
前記調整用トランジスタは、前記第１の制御用端子と前記所定電位との間に配置されていること、
を特徴とする電気光学装置。
【請求項１４】
請求項１３に記載の電気光学装置において、
前記調整用トランジスタは、前記第２のスイッチング用トランジスタと前記第１のスイッチング用トランジスタとの間に配置されていること、
を特徴とする電気光学装置。
【請求項１５】
請求項１乃至６のいずれかに記載の電子回路を備えたことを特徴とする電子機器。
【請求項１６】
請求項７乃至１４のいずれかに記載の電気光学装置を備えたことを特徴とする電子機器。
【手続補正３】
【補正対象書類名】明細書
【補正対象項目名】０００４
【補正方法】変更
【補正の内容】
【０００４】
【課題を解決するために手段】
本発明の電子回路は、電子素子を駆動するための電子回路であって、第１の端子と第２の端子と第１の制御用端子とを備えた駆動トランジスタと、第１のスイッチング用トランジスタと、一端が所定電位に接続された第２のスイッチング用トランジスタと、第１の電極と第２の電極とを備えた容量素子と、を含み、前記第１の制御用端子は前記第１の電極に接続され、前記第２の電極は、前記第１のスイッチング用トランジスタに接続され、前記第２のスイッチング用トランジスタがオン状態となる第１の期間の終了後、前記第１のスイッチング用トランジスタがオン状態となる第２の期間が設けられていることを特徴とする。
上記の電子回路において、前記容量素子は、前記第１のスイッチング用トランジスタと前記第２のスイッチング用トランジスタとの間に配置されていることが好ましい。
上記の電子回路において、前記第２のスイッチング用トランジスタは、前記所定電位と前記第１の制御用端子との間に配置されていることが好ましい。
上記の電子回路において、前記第１の期間において、前記第１の制御用端子の電位は第１の電位に設定され、前記第２の期間において、前記第１の制御用端子の電位は第２の電位に設定されることが好ましい。
上記の電子回路において、前記第２の電位に応じて前記駆動トランジスタの導通状態が設定され、前記導通状態に応じた駆動電流が前記電子素子に供給されることが好ましい。
上記の電子回路において、前記第１の電位は、前記駆動トランジスタの閾値電圧の応じて設定されることが好ましい。
また、本発明における他の電子回路は、第１の端子と第２の端子と第１の制御用端子とを備えた第１のトランジスタと、第３の端子と第４の端子と第２の制御用端子とを備え、前記第１の制御用端子に前記第３の端子が接続された第２のトランジスタと、第１の電極と第２の電極とを備え、前記第１の制御用端子に前記第１の電極が接続された容量素子と、第５の端子と第６の端子とを備え、前記第２の電極に前記第５の端子が接続された第３のトランジスタと、を含み前記第２の制御用端子が前記第３の端子に接続されている。
【手続補正４】
【補正対象書類名】明細書
【補正対象項目名】００２４
【補正方法】変更
【補正の内容】
【００２４】
本発明の第１の電気光学装置は、複数の走査線と、複数のデータ線と、複数の画素回路と、を含み、前記複数の画素回路の各々は、電気光学素子と、駆動トランジスタと、容量素子と、一端が前記複数のデータ線のうち１つのデータ線に接続された第１のスイッチング用トランジスタと、一端が所定電位に接続された第２のスイッチング用トランジスタと、を含み、前記第１のスイッチング用トランジスタと前記駆動トランジスタの第１の制御用端子との間に前記容量素子が配置され、前記第２のスイッチング用トランジスタがオン状態となる第１の期間の終了後、前記第１のスイッチング用トランジスタがオン状態となる第２の期間が設けられていること、を特徴とする。
本発明の第２の電気光学装置は、複数の走査線と、複数のデータ線と、複数の画素回路と、を含み、前記複数の画素回路の各々は、電気光学素子と、駆動トランジスタと、第１の電極と第２の電極とを備えた容量素子と、一端が前記複数のデータ線のうち１つのデータ線に接続された第１のスイッチング用トランジスタと、一端が所定電位に接続された第２のスイッチング用トランジスタと、を含み、前記第１の電極は前記駆動トランジスタの第１の制御用端子に接続され、前記第１のスイッチング用トランジスタは前記第２の電極に接続され、前記第２のスイッチング用トランジスタがオン状態となる第１の期間の終了後、前記第１のスイッチング用トランジスタがオン状態となる第２の期間が設けられていることを特徴とする。
上記の電気光学装置において、前記第１の期間において、前記第１の制御用端子の電位は、前記所定電位と前記第２のスイッチング用トランジスタを介して電気的に接続されることにより、第１の電位に設定され、前記第２の期間において、前記第１の制御用端子の電位は、前記所定電位と前記容量素子に介した容量カップリングにより第２の電位に設定されることが好ましい。
上記の電気光学装置において、前記第２の電位に応じた駆動電流が前記電気光学素子に供給されることが好ましい。
上記の電気光学装置において、前記第１の電位は、前記駆動トランジスタの閾値電圧に応じて設定されることが好ましい。
上記の電気光学装置において、前記第２のスイッチング用トランジスタは前記第１の制御用端子と前記所定電位との間に配置されていてもよい。
上記の電気光学装置において、前記複数の画素回路の各々は、さらに調整用トランジスタを含み、前記調整用トランジスタは、前記第１の制御用端子と前記所定電位との間に配置されていてもよい。
本発明における他の電気光学装置は、複数の走査線と、複数のデータ線と、複数の電源線と、電気光学素子を有する複数の単位回路を含む電気光学装置であって、前記複数の単位回路の各々は、第１の端子と第２の端子と第１の制御用端子とを備えた第１のトランジスタと、前記第１の端子と接続された電気光学素子と、第３の端子と第４の端子と第２の制御用端子とを備え、前記第１の制御用端子に前記第３の端子が接続された第２のトランジスタと、第１の電極と第２の電極とを備え、前記第１の制御用端子に前記第１の電極が接続された容量素子と、第５の端子と第６の端子と第３の制御用端子とを備え、前記第２の電極に前記第５の端子が接続された第３のトランジスタと、第７の端子と第８の端子とを備え、前記第７の端子が前記第４の端子に接続された第４のトランジスタと、を含み、前記第２の制御用端子が前記第３の端子に接続され、前記第３の制御用端子が前記複数の走査線のうちの一つに接続され、前記第６の端子が前記複数のデータ線のうちの一つに接続されている。